(57)【要約】【課題】フック部の抜け出しによる脱落を防止し、もし脱落しても容易に回収することができ、かつ、獲物を釣ったときに直ぐに使用できる獲物取り込み用釣具を提供することである。【解決手段】フック部材５のフック部５ａの基端側に、離脱可能な一対のマグネット６ａ、６ｂと連結部材７を介してカラビナ８を取り付けることにより、カラビナ８をズボンのベルト通し等に係止して、フック部５ａの抜け出しによる脱落を防止するとともに、一対のマグネット６ａ、６ｂを離脱させるのみで、獲物を釣ったときに直ぐに使用できるようにし、フック部材５とカラビナ８を紐９で連結することにより、もし脱落しても、容易に回収することができるようにした。【選択図】図３
2011045271.tif 000002
【特許請求の範囲】
【請求項１】
捕獲具が取り付けられた柄の先端側に、差し込み用の先端を柄の基端側に向けたフック部を設けた獲物取り込み用釣具において、前記フック部の差し込み用の先端と反対側の基端側に、離脱可能な一対のマグネットを介してリング状の係止具を取り付け、この係止具を前記フック部に紐で連結したことを特徴とする獲物取り込み用釣具。
【請求項２】
前記リング状の係止具をカラビナとした請求項１に記載の獲物取り込み用釣具。
【請求項３】
前記フック部に沿って、前記紐を収納する筒状の収納部を設けた請求項１または２に記載の獲物取り込み用釣具。
【請求項４】
前記筒状の収納部を前記フック部の基端側に開口させ、前記紐を、この基端側の開口から前記収納部に収納して、収納部の先端側に連結した請求項３に記載の獲物取り込み用釣具。
【請求項５】
前記係止具を連結する紐をコイル状で縮むように畳まれるものとした請求項１乃至４のいずれかに記載の獲物取り込み用釣具。
【発明の詳細な説明】
【技術分野】
【０００１】
本発明は、釣った獲物を取り込むための獲物取り込み用釣具に関する。
【背景技術】
【０００２】
魚やイカ等の釣った獲物を取り込むときは、柄の先端に捕獲用の網を取り付けたたも網や、複数の鉤を放射状に取り付けたギャフ等の獲物取り込み用釣具が使用されている。このような柄の先端に網や鉤等の捕獲具を設けた獲物取り込み用釣具には、獲物を釣ったときに直ぐに使用できるように、ズボンのポケットや腰ベルト等に抜き差し自在に差し込むためのフック部を設け、身体に携帯できるようにしたものがある。このフック部は、差し込み用の先端を柄の基端側に向けて、柄の先端側に設けられており、柄の基端側を下に向けて、ズボンのポケットや腰ベルト等の差し込み部位に差し込まれる（例えば、特許文献１参照）。特許文献１に記載されたものは、フック部を止着ベルトで柄に着脱するようにしている。
【先行技術文献】
【特許文献】
【０００３】
【特許文献１】実用新案登録第３１５０９２４号公報
【発明の概要】
【発明が解決しようとする課題】
【０００４】
特許文献１に記載された獲物取り込み用釣具は、獲物を釣ったときに直ぐ好便に使用できるが、岸壁や岩場等の段差から飛び降りたときのショックや、座ったときの地面等による柄の突き上げで、フック部が差し込み部位から抜け出して脱落する問題がある。また、運が悪いときは、脱落した獲物取り込み用釣具が、海や波打ち際等の立ち入り危険箇所に落下し、回収不能となることがある。
【０００５】
なお、このようなフック部の抜け出しによる獲物取り込み用釣具の脱落を防止するためには、新たな別の係止手段を設けることが考えられるが、新たな係止手段の解除に手間がかかり、獲物を釣ったときに獲物取り込み用釣具を直ぐに使用できなくなる。
【０００６】
そこで、本発明の課題は、フック部の抜け出しによる脱落を防止し、もし脱落しても容易に回収することができ、かつ、獲物を釣ったときに直ぐに使用できる獲物取り込み用釣具を提供することである。
【課題を解決するための手段】
【０００７】
上記の課題を解決するために、本発明は、捕獲具が取り付けられた柄の先端側に、差し込み用の先端を柄の基端側に向けたフック部を設けた獲物取り込み用釣具において、前記フック部の差し込み用の先端と反対側の基端側に、離脱可能な一対のマグネットを介してリング状の係止具を取り付け、この係止具を前記フック部に紐で連結した構成を採用した。
【０００８】
すなわち、フック部の基端側に、離脱可能な一対のマグネットを介してリング状の係止具を取り付けることにより、リング状の係止具をフック部の差し込み部位の近くに係止して、フック部の抜け出しによる脱落を防止するとともに、一対のマグネットを離脱させるのみで、獲物を釣ったときに直ぐに使用できるようにし、係止具をフック部に紐で連結することにより、もし脱落しても容易に回収できるようにした。
【０００９】
前記リング状の係止具をカラビナとすることにより、係止具をズボンのベルト通し等に簡単に着脱することができる。また、紐も係止具に簡単に着脱することができる。
【００１０】
前記フック部に沿って、前記紐を収納する筒状の収納部を設けることにより、紐が釣糸等と絡まないようにすることができる。
【００１１】
前記筒状の収納部を前記フック部の基端側に開口させ、前記紐を、この基端側の開口から前記収納部に収納して、収納部の先端側に連結することにより、紐を収納部に収納し易くすることができる。
【００１２】
前記係止具を連結する紐をコイル状で縮むように畳まれるものとすることにより、紐をコンパクトに縮めることができる。筒状の収納部を設けた場合は、紐をコンパクトに縮めて収納することができる。
【発明の効果】
【００１３】
本発明の獲物取り込み用釣具は、フック部の差し込み用の先端と反対側の基端側に、離脱可能な一対のマグネットを介してリング状の係止具を取り付け、この係止具を前記フック部に紐で連結したので、フック部の抜け出しによる脱落を防止し、もし脱落しても容易に回収することができ、かつ、獲物を釣ったときに直ぐに使用することができる。
【図面の簡単な説明】
【００１４】
【図１】獲物取り込み用釣具の実施形態を示す切欠き側面図
【図２】図１の獲物取り込み用釣具を使用する状態を示す側面図
【図３】図１のフック部材を拡大して示す縦断側面図
【図４】図１の獲物取り込み用釣具を携帯する状態を示す外観斜視図
【図５】図４の獲物取り込み用釣具を使用するために取り外した状態を示す外観斜視図
【発明を実施するための形態】
【００１５】
以下、図面に基づき、本発明の実施形態を説明する。この獲物取り込み用釣具は、図１に示すように、柄１の先端に複数の鉤２を放射状に設けたギャフであり、鉤２は折り畳まれた状態で、柄１の先端のねじ部１ａに螺着された透明なプラスチックのケース３に収納されており、使用するときには、図２に示すように、ケース３の先端の蓋３ａが開けられ、柄１の中に重ねて組み込まれた複数の延長柄４が前方に延出される。このとき、折り畳まれたた鉤２が、延長柄４の最先端で放射状に拡がるようになっている。
【００１６】
前記柄１の先端側には、差し込み用のフック部５ａの先端を柄１の基端側に向けたフック部材５が、フック部５ａの基端側で直角に張り出す環状部５ｂを、柄１の先端側に設けられた鍔部１ｂと螺着されたケース３とに挟持されて、着脱可能に取り付けられている。
【００１７】
図３に拡大して示すように、前記フック部材５のフック部５ａの基端側には、図中に一点鎖線で示すように、離脱可能な一対のマグネット６ａ、６ｂと連結部材７を介して、リング状の係止具としてのカラビナ８が取り付けられている。一対のマグネット６ａ、６ｂは、多少の衝撃では離脱しない強力なものとされている。
【００１８】
また、前記カラビナ８にはコイル状の紐９が連結され、フック部５ａには、基端側に開口し、先端側へ延びる筒状の収納部１０が設けられている。コイル状の紐９は、基端側から収納部１０に挿入されて、フック部５ａの先端で収納部１０に差し込まれたフック先端部材１１に連結されており、収納部１０に縮むように畳まれて収納されている。なお、フック先端部材１１の先端は、差し込みを容易にするために、柄１と反対側の外向きに反っており、収納部１０には、複数の水抜き用の孔１０ａが設けられている。
【００１９】
図４は、上述したギャフの獲物取り込み用釣具を身体に携帯した状態を示す。前記フック部材５のフック部５ａはズボンの後ポケット２１に差し込まれ、柄１の基端側が下向きに携帯されており、フック部５ａの基端側に離脱可能な前記マグネット６ａ、６ｂと連結部材７を介して取り付けられたカラビナ８は、フック部５ａが差し込まれた部位の近くのズボンのベルト通し部２２に係止されている。したがって、フック部５ａの抜け出しによる脱落が防止され、もし脱落しても、フック部材５は紐９でカラビナ８に連結されているので、獲物取り込み用釣具を容易に回収することができる。なお、この図では、フック部５ａが身体の斜め後側でズボンの後ポケット２１に差し込まれているが、フック部５ａは、釣りの邪魔にならず、使用時に抜き取り易い部位に差し込めばよく、腰ベルトや背中等の差し込み部位に差し込むこともできる。
【００２０】
図５は、上述した獲物取り込み用釣具を使用するために、前記フック部５ａを腰ベルト２１から抜き取った状態を示す。このとき、一対のマグネット６ａ、６ｂを離脱させるのみで、カラビナ８によるフック部材５の係止を解除し、フック部材５とカラビナ８を連結する紐９を伸ばして、獲物取り込み用釣具を直ぐに使用することができる。
【００２１】
上述した実施形態では、獲物取り込み用釣具をギャフとしたが、本発明に係る獲物取り込み用釣具はたも網とすることもできる。
【符号の説明】
【００２２】
１  柄
１ａ  ねじ部
１ｂ  鍔部
２  鉤
３  ケース
３ａ  蓋
４  延長柄
５  フック部材
５ａ  フック部
５ｂ  環状部
６ａ、６ｂ  マグネット
７  連結部材
８  カラビナ
９  紐
１０  収納部
１０ａ  孔
１１  フック先端部材
【図１】
2011045271.tif 000003
【図２】
2011045271.tif 000004
【図３】
2011045271.tif 000005
【図４】
2011045271.tif 000006
【図５】
2011045271.tif 000007